(57)【特許請求の範囲】
【請求項１】
基地局において、
加入者端末にアップリンクグラントを送信するように構成された送信経路回路、及び
前記加入者端末から１つ以上の多重入力多重出力（ＭＩＭＯ；multiple-input multiple-output）アップリンクコーディングされた送信ブロックをＮＬ個のレイヤで受信するように構成される受信経路回路であって、
ＡＣＫ／ＮＡＣＫ（acknowledgement/negative acknowledgement）情報及びＲＩ（rank indication）情報のうちの少なくとも１つの情報は、ベクタ数列
【数１】
0005882304.tif 000122
とベクタ数列
【数２】
0005882304.tif 000123
のうちの少なくとも１つを用いて、前記１つ以上のＭＩＭＯアップリンクコーディングされた送信ブロックで送信され、
前記
【数３】
0005882304.tif 000124
及び
【数４】
0005882304.tif 000125
のそれぞれは、
【数５】
0005882304.tif 000126
ビットで構成され、ＮＬ回繰り返される情報の数列
【数６】
0005882304.tif 000127
及び
【数７】
0005882304.tif 000128
のうちのいずれかを含み、
【数８】
0005882304.tif 000129
は、シンボル別ビットの数であり、
【数９】
0005882304.tif 000130
は、コーディングされたＡＣＫ／ＮＡＣＫ情報のビット数を指示し、
【数１０】
0005882304.tif 000131
は、コーディングされたＲＩ情報のビット数を指示することを特徴とする、基地局。
【請求項２】
基地局の動作方法において、
加入者端末にアップリンクグラントを送信するステップと、
前記加入者端末から１つ以上の多重入力多重出力（ＭＩＭＯ；multiple-input multiple-output）アップリンクコーディングされた送信ブロックをＮＬ個のレイヤで受信するステップと、を含み、
ＡＣＫ／ＮＡＣＫ（acknowledgement/negative acknowledgement）情報及びＲＩ（rank indication）情報のうちの少なくとも１つの情報は、ベクタ数列
【数１１】
0005882304.tif 000132
とベクタ数列
【数１２】
0005882304.tif 000133
のうちの少なくとも１つを用いて、前記１つ以上のＭＩＭＯアップリンクコーディングされた送信ブロックで送信され、
前記
【数１３】
0005882304.tif 000134
及び
【数１４】
0005882304.tif 000135
のそれぞれは、
【数１５】
0005882304.tif 000136
ビットで構成され、ＮＬ回繰り返される情報の数列
【数１６】
0005882304.tif 000137
及び
【数１７】
0005882304.tif 000138
のうちのいずれかを含み、
【数１８】
0005882304.tif 000139
は、シンボル別ビットの数であり、
【数１９】
0005882304.tif 000140
は、コーディングされたＡＣＫ／ＮＡＣＫ情報のビット数を指示し、
【数２０】
0005882304.tif 000141
は、コーディングされたＲＩ情報のビット数を指示することを特徴とする、方法。
【請求項３】
加入者端末において、
基地局からアップリンクグラントを受信するように構成される受信経路回路と、
前記加入者端末から１つ以上の多重入力多重出力（ＭＩＭＯ；multiple-input multiple-output）アップリンクコーディングされた送信ブロックをＮＬ個のレイヤで送信するように構成される送信経路回路と、を含み、
ＡＣＫ／ＮＡＣＫ（acknowledgement/negative acknowledgement）情報及びＲＩ（rank indication）情報のうちの少なくとも１つの情報は、ベクタ数列
【数２１】
0005882304.tif 000142
とベクタ数列
【数２２】
0005882304.tif 000143
のうちの少なくとも１つを用いて、前記１つ以上のＭＩＭＯアップリンクコーディングされた送信ブロックで送信され、
前記
【数２３】
0005882304.tif 000144
及び
【数２４】
0005882304.tif 000145
のそれぞれは、
【数２５】
0005882304.tif 000146
ビットで構成され、ＮＬ回繰り返される情報の数列
【数２６】
0005882304.tif 000147
及び
【数２７】
0005882304.tif 000148
のうちのいずれかを含み、
【数２８】
0005882304.tif 000149
は、シンボル別ビットの数であり、
【数２９】
0005882304.tif 000150
は、コーディングされたＡＣＫ／ＮＡＣＫ情報のビット数を指示し、
【数３０】
0005882304.tif 000151
は、コーディングされたＲＩ情報のビット数を指示することを特徴とする、加入者端末。
【請求項４】
加入者端末の動作方法において、
基地局からアップリンクグラントを受信するステップと、
前記加入者端末から１つ以上の多重入力多重出力（ＭＩＭＯ；multiple-input multiple-output）アップリンクコーディングされた送信ブロックをＮＬ個のレイヤで送信するステップと、を含み、
ＡＣＫ／ＮＡＣＫ（acknowledgement/negative acknowledgement）情報及びＲＩ（rank indication）情報のうちの少なくとも１つの情報は、ベクタ数列
【数３１】
0005882304.tif 000152
とベクタ数列
【数３２】
0005882304.tif 000153
のうちの少なくとも１つを用いて、前記１つ以上のＭＩＭＯアップリンクコーディングされた送信ブロックで送信され、
前記
【数３３】
0005882304.tif 000154
及び
【数３４】
0005882304.tif 000155
のそれぞれは、
【数３５】
0005882304.tif 000156
ビットで構成され、ＮＬ回繰り返される情報の数列
【数３６】
0005882304.tif 000157
及び
【数３７】
0005882304.tif 000158
のうちのいずれかを含み、
【数３８】
0005882304.tif 000159
は、シンボル別ビットの数であり、
【数３９】
0005882304.tif 000160
は、コーディングされたＡＣＫ／ＮＡＣＫ情報のビット数を指示し、
【数４０】
0005882304.tif 000161
は、コーディングされたＲＩ情報のビット数を指示することを特徴とする、加入者端末の動作方法。
【請求項５】
基地局において、
加入者端末から１つ以上のＭＩＭＯ（multiple-input multiple-output）アップリンクコーディングされた送信ブロックをＮＬ個のレイヤで受信するように構成される受信経路回路を含み、
前記コーディングされた送信ブロックは、
ＡＣＫ／ＮＡＣＫ（acknowledgement/negative acknowledgement）情報を伝達し、ＮＬ回繰り返される情報の数列
【数４１】
0005882304.tif 000162
を用いて形成された
【数４２】
0005882304.tif 000163
ビットで構成されたベクタ数列
【数４３】
0005882304.tif 000164
を含み、
【数４４】
0005882304.tif 000165
は、シンボル別ビットの数であり、
【数４５】
0005882304.tif 000166
は、コーディングされたＡＣＫ／ＮＡＣＫ情報のビット数を指示し、
ＲＩ(rank indication)情報を伝達し、ＮＬ回繰り返される情報の数列
【数４６】
0005882304.tif 000167
を使用して形成された
【数４７】
0005882304.tif 000168
ビットで構成されたベクタ数列
【数４８】
0005882304.tif 000169
を含み、
【数４９】
0005882304.tif 000170
は、コーディングされたＲＩ情報のビット数を指示し、
ＣＱＩ（channel quality information）を伝達するために使われるベクタ数列
【数５０】
0005882304.tif 000171
を含むことを特徴とする、基地局。
【請求項６】
前記ベクタ数列
【数５１】
0005882304.tif 000172
は、次のような方法により生成され、
【数５２】
0005882304.tif 000173
【数５３】
0005882304.tif 000174
は、コーディングされたＡＣＫ／ＮＡＣＫ情報の全体ビットの個数を表すことを特徴とする、請求項５に記載の基地局。
【請求項７】
前記ベクタ数列
【数５４】
0005882304.tif 000175
は、次のような方法によって生成され、
【数５５】
0005882304.tif 000176
【数５６】
0005882304.tif 000177
は、コーディングされたＲＩ情報の全体ビットの個数を表すことを特徴とする、請求項１に記載の基地局。
【請求項８】
ＣＱＩ（channel quality information）は、前記１つ以上のＭＩＭＯコーディングされた送信ブロックでベクタ数列
【数５７】
0005882304.tif 000178
を用いて送信され、
前記
【数５８】
0005882304.tif 000179
は、次のような方法により生成され、
【数５９】
0005882304.tif 000180
QCQIは、コーディングされたＣＱＩの全体ビットの個数を表し、qjは、コーディングされたＣＱＩのビットを表し、fiは、コーディングされたデータのビットを表し、Gは、コーディングされたデータビットの全体個数を表し、そして、
【数６０】
0005882304.tif 000181
は、データ及び制御情報多重化動作の出力を表すことを特徴とする、請求項１に記載の基地局。
【請求項９】
基地局の動作方法において、
加入者端末から１つ以上のＭＩＭＯ（multiple-input multiple-output）アップリンクコーディングされた送信ブロックをＮＬのレイヤで受信するステップを含み、
前記コーディングされた送信ブロックは、
ＡＣＫ／ＮＡＣＫ（acknowledgement/negative acknowledgement）情報を伝達し、ＮＬ回繰り返される情報の数列を使用して形成された
【数６１】
0005882304.tif 000182
ビットで構成されたベクタ数列
【数６２】
0005882304.tif 000183
を含み、
【数６３】
0005882304.tif 000184
は、シンボル別ビットの数であり、
【数６４】
0005882304.tif 000185
は、コーディングされたＡＣＫ／ＮＡＣＫ情報のビット数を指示し、
ＲＩ（rank information）情報を伝達し、ＮＬ回繰り返される情報の数列を使用して形成された
【数６５】
0005882304.tif 000186
ビットで構成されたベクタ数列
【数６６】
0005882304.tif 000187
を含み、
【数６７】
0005882304.tif 000188
は、コーディングされたＲＩ情報のビット数を指示し、
ＣＱＩ（channel quality information）を伝達するために使われるベクタ数列
【数６８】
0005882304.tif 000189
を含むことを特徴とする、基地局の動作方法。
【請求項１０】
前記ベクタ数列
【数６９】
0005882304.tif 000190
は、次のような方法によって生成され、
【数７０】
0005882304.tif 000191
QACKは、コーディングされたＡＣＫ／ＮＡＣＫ情報の全体ビットの個数を表すことを特徴とする、請求項２に記載の基地局の動作方法。
【請求項１１】
前記ベクタ数列
【数７１】
0005882304.tif 000192
は、次のような方法によって生成され、
【数７２】
0005882304.tif 000193
【数７３】
0005882304.tif 000194
は、コーディングされたＲＩ情報の全体ビットの個数を表すことを特徴とする、請求項２に記載の基地局の動作方法。
【請求項１２】
ＣＱＩ（channel quality information）は、１つ以上のＭＩＭＯコーディングされた送信ブロックでベクタ数列
【数７４】
0005882304.tif 000195
を用いて送信され、前記
【数７５】
0005882304.tif 000196
は、次のような方法によって生成され、
【数７６】
0005882304.tif 000197
【数７７】
0005882304.tif 000198
は、コーディングされたＣＱＩの全体ビットの個数を表し、
【数７８】
0005882304.tif 000199
は、コーディングされたＣＱＩのビットを表し、
【数７９】
0005882304.tif 000200
は、コーディングされたデータのビットを表し、
【数８０】
0005882304.tif 000201
は、コーディングされたデータビットの全体個数を表し、そして、
【数８１】
0005882304.tif 000202
は、データ及び制御情報多重化動作の出力を表すことを特徴とする、請求項２に記載の基地局の動作方法。
【請求項１３】
加入者端末において、
基地局に１つ以上のＭＩＭＯ（multiple-input multiple-output）アップリンクコーディングされた送信ブロックをＮＬ個のレイヤで送信するように構成される送信経路回路を含み、
前記コーディングされた送信ブロックは、
ＡＣＫ／ＮＡＣＫ（acknowledgement/negative acknowledgement）情報を伝達し、ＮＬ回繰り返される情報の数列を使用して形成された
【数８２】
0005882304.tif 000203
ビットで構成されたベクタ数列
【数８３】
0005882304.tif 000204
を含み、
【数８４】
0005882304.tif 000205
は、シンボル別ビットの数であり、
【数８５】
0005882304.tif 000206
は、コーディングされたＡＣＫ／ＮＡＣＫ情報のビット数を指示し、
ＲＩ（rank indication）情報を伝達し、ＮＬ回繰り返される情報の数列
【数８６】
0005882304.tif 000207
を使用して形成された
【数８７】
0005882304.tif 000208
ビットで構成されたベクタ数列
【数８８】
0005882304.tif 000209
を含み、
【数８９】
0005882304.tif 000210
は、コーディングされたＲＩ情報のビット数を指示し、
ＣＱＩ（channel quality information）を伝達するために使われるベクタ数列
【数９０】
0005882304.tif 000211
を含むことを特徴とする、加入者端末。
【請求項１４】
前記ベクタ数列
【数９１】
0005882304.tif 000212
は、次のような方法によって生成され、
【数９２】
0005882304.tif 000213
QACKは、コーディングされたＡＣＫ／ＮＡＣＫ情報の全体ビットの個数を表すことを特徴とする、請求項３に記載の加入者端末。
【請求項１５】
前記ベクタ数列
【数９３】
0005882304.tif 000214
は、次のような方法によって生成され、
【数９４】
0005882304.tif 000215
【数９５】
0005882304.tif 000216
は、コーディングされたＲＩ情報の全体ビットの個数を表すことを特徴とする、請求項３に記載の加入者端末。
【請求項１６】
ＣＱＩ（channel quality information）は、前記１つ以上のＭＩＭＯコーディングされた送信ブロックでベクタ数列
【数９６】
0005882304.tif 000217
を用いて送信され、
前記
【数９７】
0005882304.tif 000218
は、次のような方法により生成され、
前記コーディングされたシンボルの全体個数NCQIは、次のとおり演算され、
【数９８】
0005882304.tif 000219
【数９９】
0005882304.tif 000220
は、コーディングされたＣＱＩの全体ビットの個数を表し、
【数１００】
0005882304.tif 000221
は、コーディングされたＣＱＩのビットを表し、
【数１０１】
0005882304.tif 000222
は、コーディングされたデータのビットを表し、
【数１０２】
0005882304.tif 000223
は、コーディングされたデータビットの全体個数を表し、そして、
【数１０３】
0005882304.tif 000224
は、データ及び制御情報多重化動作の出力を表すことを特徴とする、請求項１３に記載の加入者端末。
【請求項１７】
加入者端末の動作方法において、
加入者端末から１つ以上のＭＩＭＯ（multiple-input multiple-output）アップリンクコーディングされた送信ブロックをＮＬのレイヤで送信するステップを含み、
前記コーディングされた送信ブロックは、
ＡＣＫ／ＮＡＣＫ情報（acknowledgement/negative acknowledgement）を伝達し、ＮＬ回繰り返される情報の数列
【数１０４】
0005882304.tif 000225
を使用して形成された
【数１０５】
0005882304.tif 000226
ビットで構成されたベクタ数列
【数１０６】
0005882304.tif 000227
を含み、
【数１０７】
0005882304.tif 000228
は、シンボル別ビットの数であり、
【数１０８】
0005882304.tif 000229
は、コーディングされたＡＣＫ／ＮＡＣＫ情報のビット数を指示し、
ＲＩ（rank information）情報を伝達し、ＮＬ回繰り返される情報の数列を使用して形成された
【数１０９】
0005882304.tif 000230
ビットで構成されたベクタ数列
【数１１０】
0005882304.tif 000231
を含み、
【数１１１】
0005882304.tif 000232
は、コーディングされたＲＩ情報のビット数を指示し、
ＣＱＩ（channel quality information）を伝達するために使われるベクタ数列
【数１１２】
0005882304.tif 000233
を含むことを特徴とする、加入者端末の動作方法。
【請求項１８】
前記ベクタ数列
【数１１３】
0005882304.tif 000234
は、次のような方法によって生成され、
【数１１４】
0005882304.tif 000235
QACKは、コーディングされたＡＣＫ／ＮＡＣＫ情報の全体ビットの個数を表すことを特徴とする、請求項４に記載の加入者端末の動作方法。
【請求項１９】
前記ベクタ数列
【数１１５】
0005882304.tif 000236
は、次のような方法によって生成され、
【数１１６】
0005882304.tif 000237
【数１１７】
0005882304.tif 000238
は、コーディングされたＲＩ情報の全体ビットの個数を表すことを特徴とする、請求項４に記載の加入者端末の動作方法。
【請求項２０】
ＣＱＩ（channel quality information）は、１つ以上のＭＩＭＯコーディングされた送信ブロックでベクタ数列
【数１１８】
0005882304.tif 000239
を用いて送信され、前記
【数１１９】
0005882304.tif 000240
は、次のような方法によって生成され、
【数１２０】
0005882304.tif 000241
【数１２１】
0005882304.tif 000242
は、コーディングされたＣＱＩの全体ビットの個数を表し、
【数１２２】
0005882304.tif 000243
は、コーディングされたＣＱＩのビットを表し、
【数１２３】
0005882304.tif 000244
は、コーディングされたデータのビットを表し、
【数１２４】
0005882304.tif 000245
は、コーディングされたデータビットの全体個数を表し、そして、
【数１２５】
0005882304.tif 000246
データ及び制御情報多重化動作の出力を表すことを特徴とする、請求項４に記載の加入者端末の動作方法。
【発明の詳細な説明】
【技術分野】
【０００１】
本発明は、アップリンク多重入力多重出力（ＭＩＭＯ）をサポートする移動通信システムのためのアップリンク転送装置及び方法に関するものである。
【背景技術】
【０００２】
次世代の移動通信標準としてＬＴＥ（Long Term Evolution）のアップリンクにおいて、単に１つのコードワードが１つのアンテナを介して転送される。ＰＵＳＣＨ（physical uplink shared channel）はこのようなシステムにおけるアップリンクデータ転送のために使われて、ＣＱＩ（channel quality indicator）、ＲＩ（rank indicator）、ＨＡＲＱ−ＡＣＫ（hybrid automatic repeat request-acknowledgement）を含むＵＣＩ（uplink control information）情報はアップリンクデータを転送するためのＰＵＳＣＨのようなＰＵＳＣＨで転送される。
【０００３】
図１は、転送チャンネル及び物理チャンネルレベルの上にレガシーＬＴＥシステムのアップリンクでデータ及びＵＣＩを処理するための手続きを示す図である。図１で、参照番号１０１乃至１１０は転送チャンネルで処理ステップを表し、参照番号１１１乃至１１５は物理チャンネルで処理ステップを表す。
【０００４】
レガシーＬＴＥシステムのアップリンクにおいて、ユーザ装置（ＵＥ）は１つのコードワードと１つのアンテナのみを用いるので、ＰＵＳＣＨとＵＣＩとを共に転送する時、ＵＣＩは１つのコードワードにマッピングされた後、１つのレイヤを通じて転送される。
【０００５】
図１を参照すると、ユーザ装置はＡＣＫまたはＲＩ転送のためにコーディングされたシンボル（coded symbol）の個数を決定する。即ち、ステップ１０７でＲＩに対するシンボル数を決定し（channel coding RI）、ステップ１０８でＡＣＫのシンボルの数を決定する（channel coding ACK/NACK）。また、ユーザ装置はＰＵＳＣＨでＣＱＩ転送のためにコーディングされたシンボルの個数を決定する。即ち、ステップ１０６でＣＱＩのためのシンボルの数を決定する（channel coding CQI）。
【０００６】
また、ユーザ装置は、ステップ１０１で転送ブロック（transport block；ＴＢ）にＣＲＣ（Cyclic Redundancy Check）を付加し、ステップ１０２でＴＢをコードブロックに分けた後、各コードブロックにまたＣＲＣを付加する。次に、ユーザ装置は、ステップ１０３でチャンネルコーディング（channel coding）を遂行した後、ステップ１０４でレートマッチング（rate matching）を遂行する。次に、ステップ１０５で各コードブロックを連結させる（channel block concatenation）。以後、ユーザ装置は、ステップ１０９でデータ（UL-SCH data）及びＣＱＩ情報を多重化する（data and control multiplexing）。
【０００７】
次に、ユーザ装置は、ステップ１１０で（ステップ１０９、１０７、及び１０８で処理された）データ（ＵＬ−ＳＣＨ（uplink shared channel）データ）、ＣＱＩ、ＲＩ、ＡＣＫ／ＮＡＣＫ情報をインターリービング（channel interleaving）する。
【０００８】
図２は、レガシーＬＴＥシステムにおけるアップリンクインターリーバとレイヤマッピング関係を示す図である。図２で、参照番号２０１はアップリンクチャンネルインターリーバ（UL channel interleaver）の例示的なシンボル構成を図示しており、参照番号２０２はレイヤ＃１（Layer ＃１）の例示的なシンボル構成を図示している。図２を参照すると、参照番号２０１により表すチャンネルインターリーバの出力ビットシーケンスは参照番号２０２により表すレイヤ＃１に１：１にマッピングされる。
【０００９】
チャンネルインターリービングされた情報は、ステップ１１１でスクランブリングし、ステップ１１２で変調され（modulation mapper）、ステップ１１３でシンボルはＤＦＴ（discrete Fourier transform）により変換され（transform precoder；ＤＦＴ）、ステップ１１４でリソースにマッピングされ（resource element mapper）、ステップ１１５で転送のためにＩＦＦＴ（inverse fast Fourier transform）される。
【発明の概要】
【発明が解決しようとする課題】
【００１０】
ＬＴＥシステムにおいて、前述したように、ユーザ装置はアップリンク転送のために１つのコードワードと１つのアンテナのみを用いるので、ＰＵＳＣＨにデータとＵＣＩとが共に転送される時、ＵＣＩは１つのコードワードにマッピングされて１つのレイヤの上で転送される。
【００１１】
レガシーＬＴＥシステムとは異なり、ＬＴＥ−Ａ（LTE-Advanced）システムにおけるユーザ装置は２つのコードワードと最大４個までの送信アンテナを利用することができる。したがって、ＵＬ−ＳＣＨにデータとＵＣＩとを共に転送する時、ＵＣＩは１つまたは２つのコードワードにマッピングできる。これは、ユーザ装置がＬＴＥ−Ａシステムのアップリンクの多重レイヤの上でＵＣＩを転送することができるということを意味する。
【００１２】
しかしながら、転送されるＵＣＩが２つのレイヤの上に不均等に分配される場合において、一方のレイヤのチャンネル状態が良く、他方のレイヤのチャンネル状態が良くなければ、特にそのような制御情報が良くないチャンネル状態を有するレイヤの上に集中された時、ＵＣＩの受信性能が劣化することと予想される。
【課題を解決するための手段】
【００１３】
従来の問題を解決するために、本発明は特に１つのコードワードが２つの転送レイヤにマッピングされる時、多重レイヤの上に均等に分配されるＵＣＩを構成するＣＱＩ、ＲＩ、ＨＡＲＱ−ＡＣＫの情報を転送するための方法を提供する。
【００１４】
また、本発明は多重アンテナ転送をサポートするＬＴＥ−Ａシステムのアップリンクチャンネルで２つのレイヤにマッピングされる１つのコードワード及び多重レイヤにマッピングされる２つのコードワードに伝えられるＵＣＩを転送するための方法を提供する。
【００１５】
本発明は、２つのレイヤの上に均等に分配される１つのコードワードに伝えられるＵＣＩを転送するための方法を提供する。このような目的のために、第１に、コードワードがマッピングされたレイヤの数を考慮したアップリンクインターリービング動作が開示される。時間及び周波数を考慮するように設計される従来のアップリンクチャンネルインターリーバとは異なり、本発明のアップリンクチャンネルインターリーバは時間及び周波数と共にレイヤの個数を考慮して動作するように設計される。また、提案されたアップリンクチャンネルインターリーバに従って転送レイヤ及び物理レイヤの上のデータ及びＵＣＩ処理手続きのために必要な一部の修正が開示される。第２に、１つのコードワードが２つのレイヤで転送される時、各レイヤに対するインターリーバを有するＵＣＩを転送するための方法が開示される。また、各レイヤが専用アップリンクチャンネルインターリーバを有する場合、転送レイヤ及び物理レイヤでデータ及びＵＣＩを処理するために必要とする一部の修正が開示される。
【００１６】
本発明は特に、２つのコードワードが多重レイヤにマッピングされる時、多重レイヤでＵＣＩを転送するための方法を開示する。
【００１７】
本発明の一態様によれば、移動通信システムのためのアップリンクデータ多重化方法は、データとＣＱＩ、ＲＩ、及びＡＣＫの多重化したデータを受信するステップ、多重化したデータ、ＲＩ、及びＡＣＫをチャンネル−インターリービングするステップ、チャンネル−インターリービングされたデータを複数のシンボルで構成されたコードワードに変調するステップ、及び奇数番目シンボルのシーケンスを第１レイヤにマッピングし、偶数番目シンボルのシーケンスを第２レイヤにマッピングするステップを含む。
【００１８】
本発明の他の態様によれば、移動通信システムのためのアップリンクデータ多重化方法は、データとＣＱＩ、ＲＩ、及びＡＣＫを多重化して得られたデータを受信するステップ、レイヤの数を考慮して個別レイヤの上に均等に分配された多重化したデータ、ＲＩ、及びＡＣＫをチャンネルインターリービングするステップ、チャンネルインターリービングされたデータを複数のシンボルで構成されたコードワードに変調するステップ、及び奇数番目シンボルのシーケンスを第１レイヤにマッピングし、偶数番目シンボルのシーケンスを第２レイヤにマッピングするステップを含む。
【００１９】
本発明の他の態様によれば、移動通信システムのためのアップリンクデータ多重化方法は、データとＣＱＩ、ＲＩ、及びＡＣＫを多重化して得られたデータを受信するステップ、第１コードワードのためのレイヤの数を考慮して個別レイヤの上に均等に分配された多重化したデータ、ＲＩ、及びＡＣＫをチャンネルインターリービングするステップ、第２コードワードのためのレイヤの数を考慮して個別レイヤの上に均等に分配された多重化したデータ、ＲＩ、及びＡＣＫをチャンネルインターリービングするステップ、チャンネルインターリービングされたデータを複数のシンボルで構成されたコードワードに変調するステップ、変調された第１コードワードの奇数番目シンボルのシーケンスを第１レイヤにマッピングするステップ、変調された第１コードワードの偶数番目シンボルのシーケンスを第２レイヤにマッピングするステップ、変調された第２コードワードの奇数番目シンボルのシーケンスを第３レイヤにマッピングするステップ、及び変調された第２コードワードの偶数番目シンボルのシーケンスを第４レイヤにマッピングするステップを含む。
【００２０】
本発明の他の態様によれば、移動通信システムのためのアップリンクデータ多重化方法は、２つのコードワードが転送される時、全てのレイヤの上で繰り返され、時間整列された方式により転送されるようにデータでＡＣＫ及びＲＩシンボルを時間分割多重化（ＴＤＭ）するステップ、ＣＱＩがコードワードにマッピングされたレイヤの上で転送されるようにチャンネルインターリービングするステップ、チャンネルインターリービングされたデータを複数のシンボルで構成されたコードワードに変調するステップ、及び対応するレイヤに変調されたコードワードをマッピングするステップを含む。
【００２１】
本発明の更に他の態様によれば、移動通信システムのアップリンクデータ多重化装置は、チャンネルコーディングされたデータ及びＣＱＩを多重化するための多重化器（multiplexer）、ＲＩデータをチャンネルコーディングするためのＲＩチャンネルコーダー、ＡＣＫをチャンネルコーディングするためのＡＣＫチャンネルコーダー、多重化したデータ、ＲＩ、及びＡＣＫをチャンネルインターリービングするためのチャンネルインターリーバ、チャンネルインターリービングされたデータを複数のシンボルで構成されたコードワードに変調するための変調器、変調されたコードワードの奇数番目シンボルのシーケンスを第１レイヤにマッピングし、変調されたコードワードの偶数番目シンボルのシーケンスを第２レイヤにマッピングするためのレイヤマッパーを含む。
【００２２】
基地局が提供される。上記基地局は、加入者端末にアップリンクグラントを転送するように構成された転送経路回路を含む。上記アップリンクグラントは、第１コードワード転送のための第１のＭＣＳ（modulation and coding scheme）値及び第２コードワード転送のための第２のＭＣＳ値を指示する。また、上記基地局は上記加入者端末から多重入力多重出力（ＭＩＭＯ；multiple-input multiple-output）アップリンクサブフレームを受信するように構成される受信経路回路を含む。上記ＭＩＭＯアップリンクサブフレームは、上記第１コードワード転送のために使われる第１サブセットのレイヤ及び上記第２コードワード転送のために使われる第２サブセットのレイヤを有する。ＡＣＫ／ＮＡＣＫ（acknowledgement/negative acknowledgement）情報及びＲＩ（rank indication）情報は、上記第１サブセットのレイヤ及び上記第２サブセットのレイヤ全てで繰り返される。ＣＱＩ（channel quality information）は、上記第１サブセットのレイヤまたは上記第２サブセットのレイヤの上で空間的に多重化される。上記第１のＭＣＳ値が上記第２のＭＣＳ値と異なれば、上記ＣＱＩは上位ＭＣＳ値を有するサブセットのレイヤの上で空間的に多重化される。上記第１のＭＣＳ値が上記第２のＭＣＳ値と同一であれば、上記ＣＱＩは上記第１サブセットのレイヤで空間的に多重化される。
【００２３】
基地局の動作方法が提供される。上記方法は、加入者端末にアップリンクグラントを転送するステップを含む。上記アップリンクグラントは、第１コードワード転送のための第１のＭＣＳ（modulation and coding scheme）値及び第２コードワード転送のための第２のＭＣＳ値を指示する。上記の方法は、また上記加入者端末から多重入力多重出力（ＭＩＭＯ；multiple-input multiple-output）アップリンクサブフレームを受信するステップを含む。上記ＭＩＭＯアップリンクサブフレームは、上記第１コードワード転送のために使われる第１サブセットのレイヤ及び上記第２コードワード転送のために使われる第２サブセットのレイヤを有する。ＡＣＫ／ＮＡＣＫ（acknowledgement/negative acknowledgement）情報及びＲＩ（rank indication）情報は、上記第１サブセットのレイヤ及び上記第２サブセットのレイヤ全てで繰り返される。ＣＱＩ（channel quality information）は、上記第１サブセットのレイヤまたは上記第２サブセットのレイヤの上で空間的に多重化される。上記第１のＭＣＳ値が上記第２のＭＣＳ値と異なれば、上記ＣＱＩは上位ＭＣＳ値を有するサブセットのレイヤの上で空間的に多重化される。上記第１のＭＣＳ値が上記第２のＭＣＳ値と同一であれば、上記ＣＱＩは上記第１サブセットのレイヤで空間的に多重化される。
【００２４】
加入者端末が提供される。上記加入者端末は、基地局からアップリンクグラントを受信するように構成される受信経路回路を含む。上記アップリンクグラントは、第１コードワード転送のための第１のＭＣＳ（modulation and coding scheme）値及び第２コードワード転送のための第２のＭＣＳ値を指示する。また、上記加入者端末は上記加入者端末から多重入力多重出力（ＭＩＭＯ；multiple-input multiple-output）アップリンクサブフレームを転送するように構成される転送経路回路を含む。上記ＭＩＭＯアップリンクサブフレームは、上記第１コードワード転送のために使われる第１サブセットのレイヤ及び上記第２コードワード転送のために使われる第２サブセットのレイヤを有する。ＡＣＫ／ＮＡＣＫ（acknowledgement/negative acknowledgement）情報及びＲＩ（rank indication）情報は、上記第１サブセットのレイヤ及び上記第２サブセットのレイヤ全てで繰り返される。ＣＱＩ（channel quality information）は、上記第１サブセットのレイヤまたは上記第２サブセットのレイヤの上で空間的に多重化される。上記第１のＭＣＳ値が上記第２のＭＣＳ値と異なれば、上記ＣＱＩは上位ＭＣＳ値を有するサブセットのレイヤの上で空間的に多重化される。上記第１のＭＣＳ値が上記第２のＭＣＳ値と同一であれば、上記ＣＱＩは上記第１サブセットのレイヤで空間的に多重化される。
【００２５】
加入者端末の動作方法が提供される。上記の方法は基地局からアップリンクグラントを受信するステップを含む。上記アップリンクグラントは、第１コードワード転送のための第１のＭＣＳ（modulation and coding scheme）値及び第２コードワード転送のための第２のＭＣＳ値を指示する。また、上記の方法は上記加入者端末から多重入力多重出力（ＭＩＭＯ；multiple-input multiple-output）アップリンクサブフレームを転送するステップを含む。上記ＭＩＭＯアップリンクサブフレームは、上記第１コードワード転送のために使われる第１サブセットのレイヤ及び上記第２コードワード転送のために使われる第２サブセットのレイヤを有する。ＡＣＫ／ＮＡＣＫ（acknowledgement/negative acknowledgement）情報及びＲＩ（rank indication）情報は、上記第１サブセットのレイヤ及び上記第２サブセットのレイヤ全てで繰り返される。ＣＱＩ（channel quality information）は、上記第１サブセットのレイヤまたは上記第２サブセットのレイヤの上で空間的に多重化される。上記第１のＭＣＳ値は、上記第２のＭＣＳ値と異なれば、上記ＣＱＩは上位ＭＣＳ値を有するサブセットのレイヤの上で空間的に多重化される。上記第１のＭＣＳ値が上記第２のＭＣＳ値と同一であれば、上記ＣＱＩは上記第１サブセットのレイヤで空間的に多重化される。
【００２６】
【数１】
0005882304.tif 000002
【００２７】
【数２】
0005882304.tif 000003
【００２８】
【数３】
0005882304.tif 000004
【００２９】
【数４】
0005882304.tif 000005
【発明の効果】
【００３０】
本発明は、多重アンテナ転送をサポートするＬＴＥ−Ａシステムのアップリンクチャンネルにおける２つのレイヤにマッチングされる１つのコードワード及び多重レイヤにマッピングされる２つのコードワードに伝えられるＵＣＩを転送するための方法を提供する。
【図面の簡単な説明】
【００３１】
【図１】転送チャンネル及び物理チャンネルレベルの上にレガシーＬＴＥシステムのアップリンクでデータ及びＵＣＩを処理するための手続きを示す図である。
【図２】レガシーＬＴＥシステムにおけるアップリンクインターリーバとレイヤマッピングとの関係を示す図である。
【図３】本発明の第１実施形態における１つのアップリンクチャンネルインターリーバと１つのレイヤとの間のマッピング関係を示す図である。
【図４】本発明の第２実施形態に従う転送チャンネルと物理チャンネルでデータとＵＣＩ処理する送信機の手続きを示す図である。
【図５】本発明の第２実施形態における１つのアップリンクチャンネルインターリーバと２つのレイヤとの間のマッピング関係を示す図である。
【図６】本発明の第３実施形態に従う転送チャンネルと物理チャンネルでデータ及びＵＣＩを処理する送信機の手続きを示す図である。
【図７】本発明の第２実施形態と第３実施形態で使われる受信機の構成を示すブロック図である。
【図８】本発明の第４実施形態に従うレイヤ当たりアップリンクチャンネルインターリービングを示す図である。
【図９】本発明の第４実施形態に従って転送チャンネルと物理チャンネルでデータ及びＵＣＩを処理する送信機の手続きを示す図である。
【図１０】本発明の第４実施形態で使われる受信機の構成を示すブロック図である。
【図１１】本発明の実施形態に従う全てのレイヤでＡＣＫ及びＲＩシンボルが繰り返される時、チャンネルインターリーバの構成を示す図である。
【図１２】本発明の実施形態に従うＣＱＩ及びデータ多重化を示す図である。
【発明を実施するための形態】
【００３２】
本発明の実施形態は添付した数式及び図面を参照しつつ説明される。
【００３３】
以下の説明が３ＧＰＰ ＥＵＴＲＡ（Evolved Universal Terrestrial Radio Access、またはＬＴＥとも指称される）またはAdvanced E-UTRA（または、ＬＴＥ−Ａとも指称される）に関連しているとしても、本発明はこれに限定されるものではなく、この技術分野で通常の知識を有する者により理解できるように、本発明の範囲から逸脱することなく、若干の修正により類似の技術的背景及びチャンネルフォーマットに基づく他の通信システムにも適用できる。
【００３４】
本発明は、多重転送アンテナをサポートするＬＴＥ−Ａシステムのアップリンクで多重レイヤにマッピングされる２つのコードワードに乗せられたＵＣＩ及び２つのレイヤにマッピングされる１つのコードワードに乗せられたＵＣＩを転送するための方法を開示する。
【００３５】
第１に、２つのレイヤに均等に分配して１つのコードワードに乗せられたＵＣＩを転送する方法が開示される。このために、コードワードがマッピングされたレイヤの個数を考慮する上向きチャンネルインターリービング動作が開示される。本発明の実施形態によれば、アップリンクチャンネルインターリーバは、時間、周波数、及び転送レイヤの個数を考慮して動作するように設計される。併せて、提案されたアップリンクチャンネルインターリーバに従って転送階層と物理階層のデータとＵＣＩ情報を処理するための手続きで一部の修正事項が開示される。
【００３６】
第２に、それぞれの転送階層を担当するアップリンクチャンネルインターリーバを有する２つのレイヤの上で１つのコードワードを転送するための方法が開示される。各階層が専用のアップリンクチャンネルインターリーバが提供される場合に対し、一部の修正がデータ及びＵＣＩ情報を処理するための手続きで開示される。
【００３７】
また、本発明は２つのコードワードが多数個のレイヤにマッピングされる時、多数個のレイヤを通じてＵＣＩを転送するための方法を提案する。
【００３８】
ＬＴＥにおいて、アップリンクで１つのコードワードと１つのアンテナが使われ、したがって、唯１つのレイヤのみアップリンク制御チャンネル（ＵＣＩ；uplink control information）を伝達するＰＵＳＣＨ転送のために使われる。即ち、単にランク（rank）１転送のみサポートされる。一方、ＬＴＥ−Ａは最大４個のレイヤが転送のために使用できるように、最大２つのコードワード及び４個の転送アンテナをサポートする。即ち、ＬＴＥ−Ａシステムでランク４転送が可能である。最大２つのコードワード及び最大４個のアンテナをサポートするＬＴＥ−Ａシステムにおいて、次のようなシナリオが可能である。
【００３９】
ランク１転送
ＣＷ０がレイヤ１にマッピングされる。
ランク２転送
ＣＷ０がレイヤ１にマッピングされる。
ＣＷ１がレイヤ２にマッピングされる。
ランク３転送
ＣＷ０がレイヤ１にマッピングされる。
ＣＷ１がレイヤ２及びレイヤ３にマッピングされる。
ランク４転送
ＣＷ０がレイヤ１及びレイヤ２にマッピングされる。
ＣＷ１がレイヤ３及びレイヤ４にマッピングされる。
【００４０】
１つのコードワードが１つのレイヤにマッピングされる場合において、ランク１転送のためにＣＷ０がレイヤ１にマッピングされ、ランク２転送のためにＣＷ０がレイヤ１にマッピングされるが、ＣＷ１がレイヤ２にマッピングされ、ランク３転送のためにＣＷ０がレイヤ１にマッピングされるので、ＬＴＥでのチャンネルインターリーバ動作が修正無しで適用できる。
【００４１】
１つのコードワードが２つのレイヤにマッピングされる場合に、ランク３転送のためにＣＷ１がレイヤ２及びレイヤ３にマッピングされる。ランク４転送のためにＣＷ０がレイヤ１及びレイヤ２にマッピングされ、ＣＷ１がレイヤ３及びレイヤ４にマッピングされる。１つのコードワードが２つのレイヤにマッピングされる時、アップリンクチャンネルインターリーバは、次のように動作する。
【００４２】
図３は、本発明の第１実施形態における１つのアップリンクチャンネルインターリーバと１つのレイヤとの間のマッピング関係を示す図である。
【００４３】
【数５】
0005882304.tif 000006
【００４４】
図３で、ｒ１、ｒ２、ｒ３、ｒ４、ｒ５、ｒ６、ｒ７、ｒ８、ｒ９、ｒ１０、ｒ１１、ｒ１２、ｒ１３、ｒ１４、ｒ１５、ｒ１６は、ＲＩのコーディングされたシンボルのインデックスであり、アップリンクチャンネルインターリーバ３０１に配列される。
【００４５】
番号１乃至３２はＣＱＩのコーディングされたシンボルであり、図３に示すように、アップリンクチャンネルインターリーバ３０１に配列される。ＱＰＳＫ変調が仮定されたので、ＣＱＩのコーディングされたシンボル３０４は２つのビットで構成される。図３のインターリーバ３０１で、１、２番インデックスビットがＣＱＩの最初のコーディングされたシンボルを構成し、３、４番インデックスビットがＣＱＩの２番目コーディングされたシンボルを構成する等、３１、３２番インデックスビットがＣＱＩの１６番目エンコーディングされたシンボルを構成するまで持続される。
【００４６】
図３で、番号３３乃至９６はコーディングされたコードブロック（codeblock）０を構成するビットのインデックスであり、アップリンクチャンネルインターリーバ３０１に示すように配列される。そして、番号９７乃至１７６はコーディングされたコードブロック１を構成するビットのインデックスである。図３ではＱＰＳＫ変調が仮定されたので、コードブロック０のコーディングされたシンボル３０５は２ビットで構成される。コードブロック１のコーディングされたシンボル３０６も２ビットで構成される。
【００４７】
図３で、コードブロックを構成する１４７、１４８、１４９、１５０、１５５、１５６、１５７、１５８、１６３、１６４、１６５、１６６、１７１、１７２、１７３、１７４のインデックスビットは、コーディングされたＡＣＫビットにより覆いかぶせられる。図３ではＱＰＳＫ変調が仮定されたので、ＡＣＫのコーディングされたシンボル３０８は２つのビットで構成される。コーディングされたＡＣＫビットが順次にマッピングされるインデックスビットの位置は１６３、１６４、１７３、１７４、１７１、１７２、１６５、１６６、１４７、１４８、１５７、１５８、１５５、１５６、１４９、及び１５０により指示される。
【００４８】
【数６】
0005882304.tif 000007
【００４９】
しかしながら、本発明の実施形態ではアップリンクチャンネルインターリーバ３０１で生成されたビットインデックスがどのようにレイヤにマッピングされるかを説明するために変調シンボルの代わりに使われる。
【００５０】
またアップリンクチャンネルインターリーバ３０１の４９及び５０インデックス位置にあるビットで構成されたコードブロック０のシンボルはレイヤ＃１ ３０２にマッピングされ、７３及び７４インデックス位置にあるビットで構成されたコードブロック０のシンボルはレイヤ＃２ ３０３にマッピングされる。９７及び９８インデックス位置にあるビットで構成されたコードブロック１のシンボルはレイヤ＃１ ３０２にマッピングされ、１２１及び１２２インデックス位置にあるビットで構成されたコードブロック１のシンボルはレイヤ＃２ ３０３にマッピングされる。１４５及び１４６インデックス位置にあるビットで構成されたコードブロック１のシンボルはレイヤ＃１ ３０２にマッピングされ、１６１及び１６２インデックス位置にあるビットで構成されたコードブロック１のシンボルはレイヤ＃２ ３０３にマッピングされる。アップリンクチャンネルインターリーバ３０１の最初の列のシンボルをレイヤ＃１ ３０２とレイヤ＃２ ３０３の最初の列にマッピングした後、アップリンクチャンネルインターリーバ３０１の２番目の列のデータは次のようにレイヤ＃１ ３０２とレイヤ＃２ ３０３にマッピングされる。３及び４インデックス位置にあるビットで構成されたＣＱＩシンボルはレイヤ＃１ ３０２にマッピングされ、２７及び２８インデックス位置にあるビットで構成されたＣＱＩシンボルはレイヤ＃２ ３０３にマッピングされる。次に、５１及び５２インデックス位置にあるビットで構成されたコードブロック０のシンボルはレイヤ＃１ ３０２にマッピングされ、７５及び７６インデックス位置にあるビットで構成されたコードブロック０のシンボルはレイヤ＃２ ３０３にマッピングされる。９９及び１００インデックス位置にあるビットで構成されたコードブロック１のシンボルはレイヤ＃１ ３０２にマッピングされ、１２３及び１２４インデックス位置にあるビットで構成されたコードブロック１のシンボルはレイヤ＃２ ３０３にマッピングされる。ｒ９及びｒ１０位置にあるビットで構成されたＲＩシンボルはレイヤ＃１ ３０２にマッピングされ、ｒ１及びｒ２位置にあるビットで構成されたＲＩシンボルはレイヤ＃２ ３０３にマッピングされる。インターリーバ３０１のシンボルが前述したようにレイヤ＃１ ３０２及びレイヤ＃２ ３０３にマッピングされれ
ば、ＣＱＩビットはレイヤ＃１ ３０２及びレイヤ＃２ ３０３の上に不均等に分配される。図３に図示されたように、ＣＱＩシンボルはレイヤ＃１の上の１乃至２４のビット位置にマッピングされ、レイヤ＃２の上の２５乃至３２のビット位置にマッピングされる。
【００５１】
本発明の第２実施形態は、コーディングされたＣＱＩシンボルがレイヤ＃１とレイヤ＃２に均等に配分されない第１実施形態の非均等分配の問題を解決するために、転送レイヤの個数を考慮してアップリンクチャンネルインターリーバにデータを書き込む方法を開示する。
【００５２】
図４は、本発明の第２実施形態に従う転送チャンネルと物理チャンネルでデータとＵＣＩ処理する送信機の手続きを示す図である。
【００５３】
【数７】
0005882304.tif 000008
【００５４】
【数８】
0005882304.tif 000009
【００５５】
表１：＜数式１＞で使われたパラメータの定義
【表１】
0005882304.tif 000010
【００５６】
【数９】
0005882304.tif 000011
【００５７】
【数１０】
0005882304.tif 000012
【００５８】
【数１１】
0005882304.tif 000013
【００５９】
【数１２】
0005882304.tif 000014
【００６０】
表２：１ビットＨＡＲＱ−ＡＣＫのエンコーディング
【表２】
0005882304.tif 000015
【００６１】
表３：２ビットＨＡＲＱ−ＡＣＫのエンコーディング
【表３】
0005882304.tif 000016
【００６２】
【数１３】
0005882304.tif 000017
【００６３】
【数１４】
0005882304.tif 000018
【００６４】
【数１５】
0005882304.tif 000019
【００６５】
一部の実施形態において、これは次のような＜数式５ｂ＞に従って処理される：
【００６６】
【数１６】
0005882304.tif 000020
【００６７】
【数１７】
0005882304.tif 000021
【００６８】
【数１８】
0005882304.tif 000022
【００６９】
【数１９】
0005882304.tif 000023
【００７０】
【数２０】
0005882304.tif 000024
【００７１】
【表４】
0005882304.tif 000025
【００７２】
【表５】
0005882304.tif 000026
【００７３】
【数２１】
0005882304.tif 000027
【００７４】
【数２２】
0005882304.tif 000028
【００７５】
【数２３】
0005882304.tif 000029
【００７６】
【数２４】
0005882304.tif 000030
【００７７】
【数２５】
0005882304.tif 000031
【００７８】
【数２６】
0005882304.tif 000032
【００７９】
【数２７】
0005882304.tif 000033
【００８０】
【表６】
0005882304.tif 000034
【００８１】
【数２８】
0005882304.tif 000035
【００８２】
【数２９】
0005882304.tif 000036
【００８３】
コーディングされたＣＱＩ／ＰＭＩビットは＜数式１２＞により表現される。
【００８４】
【数３０】
0005882304.tif 000037
【００８５】
＜数式１２＞は＜数式１３＞及び＜表７＞から誘導される。
【００８６】
【数３１】
0005882304.tif 000038
【００８７】
表７：（３２，０）コードのための基本シーケンス
【表７】
0005882304.tif 000039
【００８８】
【数３２】
0005882304.tif 000040
【００８９】
【数３３】
0005882304.tif 000041
【００９０】
図４で、ＣＲＣはステップ４０１で各ＴＢ（transport block）に付加される。ステップ４０２で、ＣＲＣが付加されたＴＢはコードブロックに分割され、ＣＲＣはまた個別コードブロックに付加される。次に、チャンネルコーディングはステップ４０３で、ＣＲＣ付加されたコードブロックの上で遂行され、レートマッチングはステップ４０４でチャンネルコーディングされたコードブロックの上で遂行される。次に、チャンネルコーディングされたコードブロックがステップ４０５で連結される。コーディングされたビットの全体数がＧのＵＬ−ＳＣＨデータは＜数式１５＞により表現される。
【００９１】
【数３４】
0005882304.tif 000042
【００９２】
【数３５】
0005882304.tif 000043
【００９３】
【数３６】
0005882304.tif 000044
【００９４】
【数３７】
0005882304.tif 000045
【００９５】
【数３８】
0005882304.tif 000046
【００９６】
【数３９】
0005882304.tif 000047
【００９７】
図４のステップ４１０で、チャンネルインターリーバの入力は＜数式１９＞により表すように表現される。
【００９８】
【数４０】
0005882304.tif 000048
【００９９】
チャンネルインターリーバ４１０の出力ビットシーケンスは、次のように得られる。
【０１００】
【数４１】
0005882304.tif 000049
【０１０１】
【数４２】
0005882304.tif 000050
【０１０２】
【数４３】
0005882304.tif 000051
【０１０３】
【数４４】
0005882304.tif 000052
【０１０４】
表８：ランク情報の挿入のための列セット
【表８】
0005882304.tif 000053
【０１０５】
【数４５】
0005882304.tif 000054
【０１０６】
【数４６】
0005882304.tif 000055
【０１０７】
ステップ（５）：＜数式２２＞のようにＨＡＲＱ−ＡＣＫ値でステップ（４）で生成されたマトリックスを上書きする。用いられる列セット（column set）は＜表９＞に表すように定義される。
【０１０８】
【数４７】
0005882304.tif 000056
【０１０９】
表９：ＨＡＲＱ−ＡＣＫ情報の挿入のための列セット
【表９】
0005882304.tif 000057
【０１１０】
【数４８】
0005882304.tif 000058
【０１１１】
【数４９】
0005882304.tif 000059
【０１１２】
【数５０】
0005882304.tif 000060
【０１１３】
【数５１】
0005882304.tif 000061
【０１１４】
図５は、本発明の第２実施形態で１つのアップリンクチャンネルインターリーバと２つのレイヤとの間のマッピング関係を示す図である。
【０１１５】
【数５２】
0005882304.tif 000062
【０１１６】
アップリンクチャンネルインターリーバ５０１の最初の列の最初のシンボルが生成される時、ＣＱＩビット５０４はインデックス位置１、２、３、及び４に書き込まれる。２番目の行の最初のシンボルが生成される時、ＣＱＩビットはインデックス位置５、６、７、及び８に書き込まれる。このような方式において、ＣＱＩビットはインデックス位置１乃至３２に書き込まれる。アップリンクチャンネルインターリーバ５０１は、コードブロック０の最初のシンボル５０５を構成する４個のビットをインデックス位置３３、３４、３５、及び３６に書き込み、コードブロック０の次のシンボルの４個のビットを順次にインデックス位置９３、９４、９５、及び９６に書き込む。次に、アップリンクチャンネルインターリーバ５０１は、コードブロック１の最初のシンボル５０６を構成する４個のビットを書き込む。図５に示すように、コードブロック１のシンボルのビットはインデックス位置９７乃至１７６に順次に書き込まれる。この際、エンコーディングされたＲＩビットにより収容されるインデックス位置ｒ１、ｒ２、ｒ３、ｒ４、ｒ５、ｒ６、ｒ７、ｒ８、ｒ９、ｒ１０、ｒ１１、ｒ１２、ｒ１３、ｒ１４、ｒ１５、及びｒ１６は飛び越える。最後に、シンボル５０８でコーディングされたＡＣＫビットは１４９、１５０、１５１、１５２、１５３、１５４、１５５、１５６、１６５、１６６、１６７、１６８、１６９、１７０、１７１、及び１７２のインデックス位置セットに上書きされる（overwrite）。この際、ＡＣＫビットはインデックス位置１４９、１５０、１５１、１５２、１６９、１７０、１７１、１７２、１６５、１６６、１６７、１６８、１５３、１５４、１５５、及び１５６に順次に書き込まれる。
【０１１７】
【数５３】
0005882304.tif 000063
【０１１８】
図５のアップリンクインターリーバ５０１で、コードブロック０のデータシンボルにより使われる４９及び５０インデックス位置にあるビットは、図４のステップ４１１でスクランブリングされ、図４のステップ４１２で変調シンボルに変調され、図４のステップ４１３でレイヤ＃１ ５０２にマッピングされる。図５のアップリンクインターリーバ５０１でコードブロック０のデータシンボルにより使われる５１及び５２インデックス位置にあるビットは、図４のステップ４１１でスクランブリングされ、図４のステップ４１２で変調シンボルに変調され、図４のステップ４１３でレイヤ＃２ ５０３にマッピングされる。図５のアップリンクインターリーバ５０１でコードブロック１のデータシンボルにより使われる９７及び９８インデックス位置にあるビットは、図４のステップ４１１でスクランブリングされ、図４のステップ４１２で変調シンボルに変調され、図４のステップ４１３でレイヤ＃１ ５０２にマッピングされる。図５のアップリンクインターリーバ５０１でコードブロック１のデータシンボルにより使われる９９及び１００インデックス位置にあるビットは、図４のステップ４１１でスクランブリングされ、図４のステップ４１２で変調シンボルに変調され、図４のステップ４１３でレイヤ＃２ ５０３にマッピングされる。図５のアップリンクインターリーバ５０１でコードブロック１のデータシンボルにより使われる１４５及び１４６インデックス位置にあるビットは、図４のステップ４１１でスクランブリングされ、図４のステップ４１２で変調シンボルに変調され、図４のステップ４１３でレイヤ＃１ ５０２にマッピングされる。図５のアップリンクインターリーバ５０１でコードブロック１のデータシンボルにより使われる１４７及び１４８インデックス位置にあるビットは、図４のステップ４１１でスクランブリングされ、図４のステップ４１２で変調シンボルに変調され、図４のステップ４１３でレイヤ＃２ ５０３にマッピングされる。
アップリンクチャンネル５０１の最初の列の全てのシンボルが読み取られ、レイヤ＃１ ５０２及びレイヤ＃２ ５０３の最初の列にマッピングされた後、アップリンクチャンネルインターリーバ５０１の２番目の列のデータは次のようにレイヤ＃１ ５０２及びレイヤ＃２ ５０３にマッピングされる。アップリンクチャンネルインターリーバ５０１で２番目のＣＱＩシンボルにより使われる５及び６インデックス位置にあるシンボル５０４にＣＱＩビットは図４のステップ４１１でスクランブリングされ、図４のステップ４１２で変調シンボルに変調され、図４のステップ４１３でレイヤ＃１ ５０２にマッピングされる。アップリンクチャンネルインターリーバ５０１で２番目のＣＱＩシンボルにより使われる７及び８インデックス位置にあるＣＱＩビットは図４のステップ４１１でスクランブリングされ、図４のステップ４１２で変調シンボルに変調され、図４のステップ４１３でレイヤ＃２ ５０３にマッピングされる。次に、コードブロック０のシンボルにより使われる５３及び５４インデックス位置にあるビットは図４のステップ４１１でスクランブリングされ、図４のステップ４１２で変調シンボルに変調され、図４のステップ４１３でレイヤ＃１ ５０２にマッピングされる。５５及び５６インデックス位置にあるビットは、図４のステップ４１１でスクランブリングされ、図４のステップ４１２で変調シンボルに変調され、図４のステップ４１３でレイヤ＃２ ５０３にマッピングされる。コードブロック１のシンボルにより使われる１０１及び１０２インデックス位置にあるビットは、図４のステップ４１１でスクランブリングされ、図４のステップ４１２で変調シンボルに変調され、図４のステップ４１３でレイヤ＃１ ５０２にマッピングされる。コードブロック１のシンボルにより使われる１０３及び１０４インデックス位置にあるビットは、図４のステップ４１１でスクランブリングされ、図４のステップ４１２で変調シンボルに変調され、図４のステップ４１３でレイヤ＃２ ５０３にマッピングされる。アップリンクチャンネルインターリーバ５０１でＲＩシンボルにより使われるＲ１及びＲ２インデックス位置にあるビットは、図４のステップ４１１でスクランブリングされ、図４のステップ４１２で変調シンボルに変調され、図４のステップ４１３でレイヤ＃１ ５０２にマッピン
グされる。アップリンクチャンネルインターリーバ５０１でＲＩシンボルにより使われるＲ３及びＲ４インデックス位置にあるビットは、図４のステップ４１１でスクランブリングされ、図４のステップ４１２で変調シンボルに変調され、図４のステップ４１３でレイヤ＃２ ５０３にマッピングされる。同一な方式により、最初から最後の列の全てのシンボルはレイヤ＃１ ５０２及びレイヤ＃２ ５０４にマッピングされる。
【０１１９】
コードワードが図４のステップ４１３で転送階層にマッピングされた後、レイヤ＃１にマッピングされたコードワードはステップ４１４、４１５、４１６、及び４１７の手続きで処理される。そして、レイヤ＃２にマッピングされたコードワードはステップ４１８、４１５、４２０、及び４２１の手続きで処理される。即ち、ステップ４１３の後、図４でレイヤ＃１ ５０２及びレイヤ＃２ ５０３がステップ４１４及び４１８でＤＦＴにより変化され、ステップ４１５でプリコーディングマトリックスを掛けることによりプリコーディングされ、ステップ４１６及び４２０で対応するリソースにマッピングされた後、次に、ステップ４１７及び４２１でＳＣ−ＦＤＭＡ信号の形式により各アンテナポートを介して転送される。
【０１２０】
本発明の第２実施形態において、チャンネルインターリーバはレイヤの個数によってシンボルの個数を算出し、各シンボルは変調シンボルのビットの数を転送レイヤの数で掛けたものにより得られる値と同一なビットの個数で構成され、変調シンボルのビットの半分をスクランブリング及び変調することによりレイヤ１にマッピングされるシンボル及び変調シンボルのビットの他の半分をスクランブリング及び変調することによりレイヤ２にマッピングされるシンボルを生成する。これによって、ＣＱＩビットは２つのレイヤの上に均等に分配されて転送される。
【０１２１】
１つのコードワードが１つのレイヤにマッピングされて転送されれば、これはランク１転送でコードワード＃０（ＣＷ＃０）がレイヤ＃１（layer＃１）にマッピングされる場合、ランク２転送でＣＷ＃０がレイヤ＃１にマッピングされる場合、ＣＷ＃１がレイヤ＃２にマッピングされるか、ＣＷ＃０がレイヤ＃１にマッピングされる場合であり、１つのコードワードが２つのレイヤにマッピングされる場合は、特にランク３転送でＣＷ＃１がレイヤ＃２及びレイヤ＃３にマッピングされる場合とランク４転送でＣＷ＃０がレイヤ＃１及びレイヤ＃２にマッピングされるか、ＣＷ＃１がレイヤ＃３及びレイヤ＃４にマッピングされる場合である。本発明の第２実施形態で開示された方法によれば、インターリービング及びレイヤマッピング動作は転送レイヤの数を考慮して遂行されるので、コードワードがマッピングされた転送レイヤの数を考慮しない転送レイヤの上に均等に分配されたように制御情報を転送することが可能である。
【０１２２】
本発明の第３実施形態において、ＵＣＩは２つのコードワードに伝えられる。２つのコードワードが転送される場合において、全ての転送レイヤはＵＣＩを転送するために使われる。第２実施形態と同様に、第３実施形態はコードワード当たりレイヤの数を考慮してチャンネルインターリーバの動作を定義し、コードワードをレイヤにマッピングする。
【０１２３】
図６は、本発明の第３実施形態に従う転送チャンネルと物理チャンネルでデータ及びＵＣＩを処理する送信機の手続きを示す図である。図６はどのように２つのコードワードから伝えられるＵＣＩが全ての転送レイヤにマッピングされるかを示す。
【０１２４】
図６を参照すると、コードワード当たりＲＩ、ＡＣＫ、及びＣＱＩシンボルの数とＲＩ、ＡＣＫ、及びＣＱＩビットの数は＜数式１＞、＜数式２＞、＜数式１０＞、＜数式１１＞を用いて誘導され、チャンネルインターリービング及びレイヤマッピング動作は第２実施形態のそれらと同一である。図６で、ＣＷ＃０及びＣＷ＃１は個別コードワードのＭＣＳ（modulation and coding selection）に従ってＲＩ、ＡＣＫ、及びＣＱＩシンボルの数とＲＩ、ＡＣＫ、及びＣＱＩビットとの数が異なる。任意のコードワードが２つのレイヤにマッピングされる場合において、ＲＩ、ＡＣＫ、及びＣＱＩは転送されるためのレイヤの上に均等に分配される。例えば、ランク４転送で、ＣＷ＃０にレイヤ＃１とレイヤ＃２がマッピングされ、ＣＷ＃１にレイヤ＃３とレイヤ＃４がマッピングされる時、ＣＷ＃０とＣＷ＃１に割り当てられるＲＩ、ＡＣＫ、及びＣＱＩの数が相互間に異なっても、レイヤ＃１とレイヤ＃２にマッピングされるＲＩ、ＡＣＫ、及びＣＱＩシンボルはレイヤ＃１とレイヤ＃２の上に均等に分配され、レイヤ＃３とレイヤ＃４にマッピングされるＲＩ、ＡＣＫ、及びＣＱＩシンボルはレイヤ＃３とレイヤ＃４の上に均等に分配される。
【０１２５】
【数５４】
0005882304.tif 000064
【０１２６】
【数５５】
0005882304.tif 000065
【０１２７】
ＣＷ＃０が２つのレイヤにマッピングされている場合に、チャンネルインターリーバの１つのシンボルはレイヤの数とシンボルのビットの数が掛けられて得られた値と同一なビットの数で構成されているので、変調シンボルはステップ６１２で唯シンボルのビットの数を考慮して生成される。コードワード対レイヤマッピングステップ６１３で、チャンネルインターリーバにより変調されたシンボルは２つのレイヤに順次にマッピングされる。その後、ＤＦＴはステップ６１４及び６１８でそれぞれのレイヤ＃１とレイヤ＃２に対して遂行される。
【０１２８】
【数５６】
0005882304.tif 000066
【０１２９】
ＣＷ＃１とＣＷ＃２が対応するレイヤにマッピングされ、ステップ６１４、６１８、６３７、及び６３８でＤＦＴにより変換された後、ＣＷ＃１とＣＷ＃２はステップ６１５でプリコーディングされる。
【０１３０】
コードワードが図６のステップ６１５でプリコーディングされた後、コードワードはステップ６１６、６２０、６４０、及び６４１で対応するリソースにマッピングされ、次に、ステップ６１７、６２１、６４２、及び６４３でＳＣ−ＦＤＭＡ信号の形式により各アンテナポートを介して転送される。
【０１３１】
図７は、本発明の第２実施形態と第３実施形態で使われる受信機の構成を示すブロック図である。
【０１３２】
図７を参照すると、ＦＦＴ変換器７０１は多重アンテナにより受信された信号に対してＦＦＴを遂行し、デマッパー（resource element demapper）７０２はリソースをデマッピング（demap）する。デプリコーダ（deprecoder）７０３はアンテナポートにより受信された信号に対してデプリコーディングを遂行し、ＩＤＦＴ変換器７０４は各レイヤ別にＩＤＦＴを遂行する。マッパー（layer to cordword mapping part）７０５は各コードワード別にシンボルを得るために、ＩＤＦＴ変換器７０４により変換された信号に対してデマッピング（demapping）を遂行する。そして、復調部（demodulation demapper）７０６は各レイヤのシンボル信号に対して復調（demodulation）を遂行し、デスクランブラ（descrambler）７０７は復調された信号に対してデスクランブリング（descrambling）を遂行し、デインターリーバ（deinterleaver）７０８はコードワード別にレイヤの数を考慮してデスクランブリングされた信号に対してデインターリービング（deinterleaving）を遂行する。デコーダ（decoder）７０９はデータとＲＩ、ＡＣＫ、及びＣＱＩ情報に対してデコーディング（decoding）を遂行する。
【０１３３】
本発明の第３実施形態において、コードワード対レイヤマッピング（codeword-to-layer mapping）ステップ６１３は、変調マッピング（modulation mapping）ステップ６１２の次になされる。一方、本発明の第４実施形態において、コードワード対レイヤマッピングステップは、レイヤ別チャンネルインターリービング（per-layer channel interleaving）ステップに取り替えられる。
【０１３４】
図８は、本発明の第４実施形態に従うレイヤ別アップリンクチャンネルインターリービングを示す図である。図８は１つのコードワードがマッピングされた、各々のレイヤ＃１とレイヤ＃２のための２つのアップリンクチャンネルインターリーバ８１１及び８１２を示す。
【０１３５】
図９は、本発明の第４実施形態に従って転送チャンネルと物理チャンネルでデータ及びＵＣＩを処理する送信機の手続きを示す図である。
【０１３６】
【数５７】
0005882304.tif 000067
【０１３７】
図９で、各レイヤに転送されるＲＩ及びＡＣＫのシンボルの数は＜数式２４＞を用いて演算される。このプロセスは数式を用いて説明すれば、次のようである。ユーザ装置は、図９のステップ９０８及び９０９で各々＜数式２４＞を用いてＡＣＫ及びＲＩ転送のためのコーディングされたシンボルＱの数を決定する。＜数式２４＞で、ＯはＡＣＫまたはＲＩビットの数を表し、パラメータは＜表１０＞に表すように定義される。
【０１３８】
【数５８】
0005882304.tif 000068
【０１３９】
表１０：＜数式２４＞で使われるパラメータの定義
【表１０】
0005882304.tif 000069
【０１４０】
【数５９】
0005882304.tif 000070
【０１４１】
【数６０】
0005882304.tif 000071
【０１４２】
【数６１】
0005882304.tif 000072
【０１４３】
【数６２】
0005882304.tif 000073
【０１４４】
表１１：１ビットのＨＡＲＱ−ＡＣＫのエンコーディング
【表１１】
0005882304.tif 000074
【０１４５】
表１２：２ビットのＨＡＲＱ−ＡＣＫのエンコーディング
【表１２】
0005882304.tif 000075
【０１４６】
【数６３】
0005882304.tif 000076
【０１４７】
【数６４】
0005882304.tif 000077
【０１４８】
【数６５】
0005882304.tif 000078
【０１４９】
【数６６】
0005882304.tif 000079
【０１５０】
【数６７】
0005882304.tif 000080
【０１５１】
【数６８】
0005882304.tif 000081
【０１５２】
表１３：１ビットＲＩのエンコーディング
【表１３】
0005882304.tif 000082
【０１５３】
表１４：２０ビットＲＩのエンコーディング
【表１４】
0005882304.tif 000083
【０１５４】
【数６９】
0005882304.tif 000084
【０１５５】
【数７０】
0005882304.tif 000085
【０１５６】
したがって、８ビットＲＩ情報はレイヤ＃１及びレイヤ＃２両方ともで転送され、結果的に、全体１６ビットのＲＩ情報が転送される。
【０１５７】
【数７１】
0005882304.tif 000086
【０１５８】
【数７２】
0005882304.tif 000087
【０１５９】
表１５：＜数式２９＞に使われたパラメータの定義
【表１５】
0005882304.tif 000088
【０１６０】
【数７３】
0005882304.tif 000089
【０１６１】
【数７４】
0005882304.tif 000090
【０１６２】
コーディングされたＣＱＩ／ＰＭＩビットは＜数式３１＞として表現できる。
【０１６３】
【数７５】
0005882304.tif 000091
【０１６４】
＜数式３１＞は＜数式３２＞及び＜表１６＞から誘導される。
【０１６５】
【数７６】
0005882304.tif 000092
【０１６６】
表１６：（３２，０）コードのための基本シーケンス
【表１６】
0005882304.tif 000093
【０１６７】
【数７７】
0005882304.tif 000094
【０１６８】
【数７８】
0005882304.tif 000095
【０１６９】
【数７９】
0005882304.tif 000096
【０１７０】
【数８０】
0005882304.tif 000097
【０１７１】
【数８１】
0005882304.tif 000098
【０１７２】
【数８２】
0005882304.tif 000099
【０１７３】
スクランブリングが遂行された後、スクランブリングされた信号はステップ９１２で変調マッパーにより変調シンボルに変調され、次に、ステップ９１３でＤＦＴにより変換される。
【０１７４】
【数８３】
0005882304.tif 000100
【０１７５】
【数８４】
0005882304.tif 000101
【０１７６】
【数８５】
0005882304.tif 000102
【０１７７】
スクランブリングが遂行された後、スクランブリングされた信号はステップ９２３で変調シンボルに変調され、ステップ９２４でＤＦＴにより変換される。次に、ステップ９１３及び９２４でＤＦＴ−変換された信号はステップ９１４でプリコーディングされ、ステップ９１５及び９２５でリソースにマッピングされ、ステップ９１６及び９２６でＩＦＦＴにより変換された後、転送される。
【０１７８】
図１０は、本発明の第４実施形態で使われる受信機の構成を示すブロック図である。
【０１７９】
図１０を参照すると、ＦＦＴ変換器１００１は多重アンテナにより受信された信号に対してＦＦＴを遂行し、デマッパー（resource element demapper）１００２はリソースをデマッピングする。デプリコーダ（deprecoder）１００３はアンテナポートにより受信された信号に対してデプリコーディング（deprecoding）を遂行し、ＩＤＦＴ変換器１００４は各レイヤ別にＩＤＦＴを遂行する。復調器（demodulation demapper）１００５は各レイヤ別にシンボルに対して復調を遂行し、デスクランブラ（descrambler）１００６は復調された信号に対してデスクランブリングを遂行し、デインターリーバ（deinterleaver）１００７はレイヤ別にデインターリービングを遂行する。デコーダ（decoder）１００８は各コードワード別にアップリンクデインターリーバチャンネルに伝達されるデータとＲＩ、ＡＣＫ、及びＣＱＩ情報に対してデコーディングを遂行する。
【０１８０】
本発明の第５実施形態において、ＡＣＫ及びＲＩシンボルは２つのコードワードが転送される全てのレイヤの上に繰り返されて（replicated）転送され、同時に全てのレイヤで整列されたデータとＴＤＭ（Time Division Multiplexing）される。ＣＱＩは１つのコードワードがマッピングされたレイヤのみで転送される。ＡＣＫ及びＲＩシンボルはアップリンクチャンネルインターリーバを有する転送チャンネル及び物理チャンネル処理手続きを通じて全てのレイヤの上に分配される時間ドメインで多重化された全てのレイヤの上で繰り返される（replicated）。
【０１８１】
図１１は、ＡＣＫシンボル１１０５及びＲＩシンボル１１０４が本発明の実施形態に従う全てのレイヤで繰り返される時、チャンネルインターリーバの構成を示す図である。
【０１８２】
【数８６】
0005882304.tif 000103
【０１８３】
【数８７】
0005882304.tif 000104
【０１８４】
【表１７】
0005882304.tif 000105
【０１８５】
【数８８】
0005882304.tif 000106
【０１８６】
【数８９】
0005882304.tif 000107
【０１８７】
【表１８】
0005882304.tif 000108
【０１８８】
【数９０】
0005882304.tif 000109
【０１８９】
【数９１】
0005882304.tif 000110
【０１９０】
【数９２】
0005882304.tif 000111
【０１９１】
【数９３】
0005882304.tif 000112
【０１９２】
【数９４】
0005882304.tif 000113
【０１９３】
【数９５】
0005882304.tif 000114
【０１９４】
本発明の実施形態に従う２つのコードワード及び多重転送アンテナを使用するＬＴＥ−Ａシステムにおけるアップリンク転送のためのアップリンク転送方法及び装置は、２つのレイヤがマッピングされた１つのコードワードを分配することが可能であり、ＵＣＩ情報を２つのレイヤに均等に分配することが可能であり、そして２つのコードワードが多重レイヤにマッピングされる時、全てのレイヤに均等に分配されるようにすることが可能である。本発明の一部の実施形態において、アップリンク制御情報はＭＩＭＯアップリンクサブフレームでアップリンクの上に転送されるＮ個のレイヤのサブセットの上にマッピングまたは割り当てられる。このレイヤのサブセットは、（１）コードワードの数、（２）コードワード対レイヤマッピング構造、及び（３）最上位ＭＣＳ値を使用するコードワードに従ってユーザ装置により内在的に指示される（implicitly inferred）。例えば、仮に、Ｎ＝４であり、レイヤ３、４がコードワード２転送のために使われる時、レイヤ１、２がコードワード１転送のために使われれば、そしてコードワード１により使われるＭＣＳがコードワード２により使われるＭＣＳより良ければ、ユーザ装置はより良いＭＣＳ値を有するレイヤに対応するアップリンク制御情報をレイヤ１及び２で転送するように決定することができる。
【０１９５】
したがって、１つのコードワード転送のために、ＵＣＩはそのコードワードのレイヤの上にマッピングされる。アップリンクグラント（UL grant）により指示される異なるＭＣＳ値を有する２つのコードワード転送のために、ＵＣＩは上位ＭＣＳ値を有するコードワードのレイヤの上にマッピングされる。
【０１９６】
さらに、２つのコードワードが同一なＭＳＣを有する場合に対し、次の試みが提案される：
方法１：ユーザ装置は常にＣＷ０（コードワード０または第１コードワード）の上にＵＣＩをマッピングし、これはコードワード対レイヤマッピングテーブル及び転送ランクに従ってレイヤ０またはレイヤ０とレイヤ１にマッピングされるものである。
【０１９７】
方法２：ユーザ装置は常にＣＷ１（コードワード１または第２コードワード）の上にＵＣＩをマッピングする。
【０１９８】
方法３：ユーザ装置はランク３（３レイヤ）転送の場合のためにＣＷ１（第２コードワード）の上にＵＣＩをマッピングし、他のランク転送のためにＣＷ０の上にＵＣＩをマッピングする。ランク３に対して特別に取扱う理由は、ランク３でＣＷ０はレイヤ０にマッピングされ、ＣＷ１はレイヤ１及び２にマッピングされる。したがって、これはＵＣＩ転送のためにより多いリソースを提供するために２レイヤ転送を有するＣＷにＵＣＩをマッピングすることがより良い。
【０１９９】
本発明の一部の実施形態において、一部の形式のＵＣＩはＭＩＭＯアップリンクサブフレームでアップリンクの上に転送される全てのＮレイヤの上にマッピングされる。一方、他の形式のＵＣＩはサブセットでレイヤの数がＮｓにより表れるＮレイヤのサブセットの上にマッピングされる。
【０２００】
基地局（ｅＮｏｄｅＢ）でより信頼度の高い受信を必要とする形式のＵＣＩは、全てのＮレイヤにマッピングされる。
【０２０１】
サブセットがＮｓ個のレイヤを有する、Ｎレイヤのサブセットの幾つかの例は、次のようである：
ＣＷ０の全てのレイヤ；
ＣＷ１の全てのレイヤ；
上位ＭＣＳを有するＣＷの全てのレイヤ；及び
上位ＭＣＳを有するＣＳの小さな数のレイヤ；
【０２０２】
一部の実施形態において、ＡＣＫ／ＮＡＣＫ及びＲＩは全てのＮレイヤにマッピングされる。一方、ＣＱＩはＮレイヤのサブセットにマッピングされる。ここで、サブセットは大きさＮｓを有する。そして、サブセットは２つのコードワードのうちの１つにある全てのレイヤに対応する。例えば、ＣＱＩはＣＷ０で全ての２レイヤの上にマッピングされる。一方、ＡＣＫ／ＮＡＣＫ及びＲＩは４レイヤアップリンク転送で、全ての４レイヤの上にマッピングされる。
【０２０３】
【数９６】
0005882304.tif 000115
【０２０４】
【数９７】
0005882304.tif 000116
【０２０５】
【数９８】
0005882304.tif 000117
【０２０６】
【数９９】
0005882304.tif 000118
【０２０７】
【数１００】
0005882304.tif 000119
【０２０８】
【数１０１】
0005882304.tif 000120
【０２０９】
【数１０２】
0005882304.tif 000121
【０２１０】
各レイヤの変調次数が与えられれば、ＡＣＫ／ＮＡＣＫ及びＲＩは３ＧＰＰ ＬＴＥ ３６．２１２ ９．０．０のセクション５．２．２．６で説明された方法によりエンコーディングできる。これは、その文書全体が本発明に含まれたようにこの文献に参照として含まれる。
【０２１１】
本発明が実施形態と共に説明されたが、多様な変更及び修正がこの技術分野で通常の知識を有する者により提案できる。本発明は、添付した請求範囲に含まれるそのような変更及び修正を含むものと解釈されるべきである。
【符号の説明】
【０２１２】
７０１、１００１：ＦＦＴ変換器
７０２、１００２：デマッパー（resource element demapper）
７０３、１００３：デプリコーダ（deprecoder）
７０４、１００４：ＩＤＦＴ変換器
７０５、１００５：マッパー（Layer to cordword mapping part）
７０６：復調部（demodulation demapper）
７０７、１００６：デスクランブラ（descrambler）
７０８、１００７：デインターリーバ（deinterleaver）
７０９、１００８：デコーダ（decoder）
【図１】
0005882304.tif 000247
【図２】
0005882304.tif 000248
【図３】
0005882304.tif 000249
【図４】
0005882304.tif 000250
【図５】
0005882304.tif 000251
【図６】
0005882304.tif 000252
【図７】
0005882304.tif 000253
【図８】
0005882304.tif 000254
【図９】
0005882304.tif 000255
【図１０】
0005882304.tif 000256
【図１１】
0005882304.tif 000257
【図１２】
0005882304.tif 000258